(57)【要約】【課題】割り当て可能なタイムスロットがない場合にも、使用するアプリケーションに応じた適切なデータ量を確保した無線通信を行うことができる無線通信方法および無線基地局を提供する。【解決手段】統計処理部２４は、無線通信端末からの無線信号に基づき、信同期バースト信号の受信電力、フェージング速度、周波数偏差等の無線通信の通信状況に関する値を取得する。間欠配置判定部２５は、取得した値が所定値を超える無線通信端末を検出する。通信処理部２１は、検出された無線通信端末に対して無線信号を送信する場合、検出された無線通信端末に割り当てていたタイムスロットを所定通信フレーム毎に開放し、かつ、未開放のタイムスロットで無線通信を実行するための変調クラスを、現在の変調クラスよりもレートが高い変調クラスに変更する。【選択図】図１
2010035014.tif 000002
【特許請求の範囲】
【請求項１】
複数の無線通信端末との間で時分割多元接続方式により無線通信を行う無線基地局での無線通信方法において、
前記無線通信端末に対し、各通信フレームに含まれるタイムスロットを割り当て、前記無線通信を実行する無線通信実行ステップと、
前記無線通信において、前記無線通信端末からの無線信号に基づき、前記無線通信の通信状況に関する値を取得する取得ステップと、
前記取得した値が所定値を超える前記無線通信端末を検出する検出ステップと、
前記検出された無線通信端末に対して無線信号を送信する場合、前記検出された無線通信端末に割り当てていたタイムスロットを所定数の通信フレーム毎に開放し、かつ、未開放のタイムスロットで前記無線通信を実行するための変調方式を、現在の変調方式よりも変調多値数が多い変調方式に変更する制御ステップと、
を含む、ことを特徴とする無線通信方法。
【請求項２】
前記検出された無線通信端末の通信種別を把握するステップと、をさらに含み、
前記把握した通信種別が特定の通信種別である無線通信端末に対して、前記制御ステップを実行する、
ことを特徴とする請求項１に記載の無線通信方法。
【請求項３】
前記特定の通信種別は、固定レートの無線通信である、
ことを特徴とする請求項２に記載の無線通信方法。
【請求項４】
複数の無線通信端末との間で時分割多元接続方式により無線通信を行う無線基地局において、
前記無線通信端末に対し、各通信フレームに含まれるタイムスロットを割り当てるタイムスロット割当部と、
前記タイムスロット割当部で割り当てたタイムスロットでの前記無線通信において、前記無線通信端末からの無線信号に基づき、前記無線通信の通信状況に関する値を取得する取得部と、
前記取得した値が所定値を超える前記無線通信端末を検出する検出部と、
前記検出された無線通信端末に対して無線信号を送信する場合、前記検出された無線通信端末に割り当てていたタイムスロットを所定通信フレーム毎に開放し、かつ、未開放のタイムスロットで前記無線通信を実行するための変調方式を、現在の変調方式よりも変調多値数が多い変調方式に変更する制御部と、
を備えることを特徴とする無線基地局。
【発明の詳細な説明】
【技術分野】
【０００１】
本発明は、ＴＤＭＡ（時分割多元接続）方式により無線通信を行う無線基地局の無線通信方法および無線基地局に関する。
【背景技術】
【０００２】
ＰＨＳ等、ＴＤＭＡ（時分割多元接続）方式を採用する無線基地局と無線通信端末からなる無線通信システムでは、フレームを時分割し、時分割した１対の送信用タイムスロット、受信用タイムスロットを利用して無線通信を行っている。図４にフレーム構成を示す。時分割した１対の送信用タイムスロット、受信用タイムスロットに、通信を要求する各無線通信端末を割り当てることで、１つの無線基地局と複数の無線通信端末との間に、同時にそれぞれのチャネルを確保することが可能となる。
しかし、上述する無線通信システムでは、１つのタイムスロットで通信できるデータ量が限られているため、ストリーミングといった、多くのデータを必要とする無線通信では、処理に必要なデータを適切に受信することができない場合があった。
そのため、１フレーム内の複数のタイムスロットを利用した無線通信を行うことで、送受信可能なデータ量を増加させる技術が提案されている（特許文献１参照）。
【特許文献１】特開平５−３３６０６１号公報
【発明の開示】
【発明が解決しようとする課題】
【０００３】
しかしながら、特許文献１に記載の技術では、空きタイムスロットがある場合にのみ行うことができるものであり、割り当て可能なタイムスロットがないような場合には、複数のタイムスロットを利用した無線通信を行うことができない。そのため、使用するアプリケーションに応じた適切なデータ量を確保した無線通信ができないという問題があった。
【０００４】
本発明は、このような問題点に鑑みてなされたものであり、本発明の目的は、割り当て可能なタイムスロットがないような場合においても、使用するアプリケーションに応じた適切なデータ量を確保した無線通信を行うことができる無線通信方法および無線基地局を提供することにある。
【課題を解決するための手段】
【０００５】
上記目的を達成するため、本発明は、複数の無線通信端末との間で時分割多元接続方式により無線通信を行う無線基地局での無線通信方法において、前記無線通信端末に対し、各通信フレームに含まれるタイムスロットを割り当て、前記無線通信を実行する無線通信実行ステップと、前記無線通信において、前記無線通信端末からの無線信号に基づき、前記無線通信の通信状況に関する値を取得する取得ステップと、前記取得した値が所定値を超える前記無線通信端末を検出する検出ステップと、前記検出された無線通信端末に対して無線信号を送信する場合、前記検出された無線通信端末に割り当てていたタイムスロットを所定数の通信フレーム毎に開放し、かつ、未開放のタイムスロットで前記無線通信を実行するための変調方式を、現在の変調方式よりも変調多値数が多い変調方式に変更する制御ステップとを含むことを特徴とする。
【０００６】
本発明は、前記検出された無線通信端末の通信種別を把握するステップと、をさらに含み、前記把握した通信種別が特定の通信種別である無線通信端末に対して、前記制御ステップを実行することが好ましい。また、前記特定の通信種別は、固定レートの無線通信であることが好ましい。
【０００７】
また、本発明は、複数の無線通信端末との間で時分割多元接続方式により無線通信を行う無線基地局において、前記無線通信端末に対し、各通信フレームに含まれるタイムスロットを割り当てるタイムスロット割当部と、前記タイムスロット割当部で割り当てたタイムスロットでの前記無線通信において、前記無線通信端末からの無線信号に基づき、前記無線通信の通信状況に関する値を取得する取得部と、前記取得した値が所定値を超える前記無線通信端末を検出する検出部と、前記検出された無線通信端末に対して無線信号を送信する場合、前記検出された無線通信端末に割り当てていたタイムスロットを所定通信フレーム毎に開放し、かつ、未開放のタイムスロットで前記無線通信を実行するための変調方式を、現在の変調方式よりも変調多値数が多い変調方式に変更する制御部とを備えることを特徴とする。
【発明の効果】
【０００８】
本発明は、現在、無線通信中の無線通信端末のうち、無線通信を行う環境がよく、高レートの変調方式を設定可能な無線通信端末がある場合、当該無線通信端末の変調クラスを高レートの変調方式に再設定した後に、タイムスロットの割り当てを制限することで、無線通信端末との間で無線通信を行うために必要なデータレートを維持しつつ、接続中の他の無線通信端末において、利用するアプリケーションなどに応じた適切なデータ量を確保した無線通信が可能となる。
また、ＶｏＩＰやリアルタイム通信など、固定レートにて無線通信を行っている無線通信端末の変調クラスを高レートの変調方式に再設定することで、当該無線通信端末においても、利用するアプリケーションなどに応じた適切なデータ量を確保した無線通信が可能となる。
【発明を実施するための最良の形態】
【０００９】
本発明の実施の形態について図面を参照して説明する。図１は、本発明の無線基地局の概略構成を示す機能ブロック図である。図１に示す無線基地局は、送受信を切り替える切り替えスイッチ（ＳＷ）１１と、制御部１２と、判定閾値テーブルを格納するメモリ１３と、外部網側との接続を行う網インターフェース１４を備えており、制御部１２は、通信処理部２１（タイムスロット割当部、制御部）と、変復調部２２と、呼制御部２３と、統計処理部２４（取得部）と、間欠配置判定部２５（検出部）を備えている。
【００１０】
変復調部２２は、無線通信端末への送信信号を変調し、無線通信端末からの受信信号を復調する。呼制御部２３は、無線通信端末との間に無線リンクチャネルの確立を行うべく呼制御を行う。
統計処理部２４は、通信処理部２１で割り当てたタイムスロットでの無線通信において、無線通信端末からの無線信号に基づき、無線通信の通信状況に関する値を取得し、間欠配置判定部２５は、統計処理部２４で取得した値が所定値を超える無線通信端末を検出する。
【００１１】
通信処理部２１は、無線通信端末に対し、各通信フレームに含まれるタイムスロットを割り当てるとともに、間欠配置判定部２５で検出された無線通信端末に対して無線信号を送信する場合、検出された無線通信端末に割り当てていたタイムスロットを所定フレーム毎に解放し、かつ、未開放のタイムスロットで無線通信を実行するための変調方式を、現在の変調方式よりも変調多値数が多い変調方式に変更する。これにより、無線通信端末との間の無線通信において必要なデータレートを維持しつつ、接続中の他の無線通信端末に対して、開放したタイムスロットを割り当てることができる。
【００１２】
図２は、無線基地局と無線通信端末の動作を説明するシーケンス図である。
無線通信端末が無線基地局に無線リンクチャネルの確立を要求する信号を送信すると、無線基地局の呼制御部１２は、無線チャネル（タイムスロット）の割り当て信号を無線通信端末に送信する。次に、割り当てられたチャネル（タイムスロット）で、無線基地局と無線通信端末の間で同期バースト信号の送受信を行う。
【００１３】
無線基地局は無線通信端末から同期バースト信号を受信すると、無線基地局の統計処理部２４において、無線通信の通信状況に関する値、例えば、受信同期バースト信号の受信電力、フェージング速度、周波数偏差等の情報を取得して統計処理を行う。間欠配置判定部２５は、統計処理部２４で取得した値を、メモリ１３に格納されている判定閾値と比較して、高レートの変調クラス（変調方式）を設定できる無線通信端末であるか否かを判定する。間欠配置判定部２５において、無線通信を行う環境が良く、無線通信の通信状況に関する値が、高レートの変調クラス（変調方式）を設定できるほど良好な通信状態である無線通信端末と判定した場合、通信処理部２１に当該無線通信端末のタイムスロットの間欠配置タイミングの決定とともに変調クラスの変更を行うよう通知する。
【００１４】
なお、間欠配置判定部２５は、変復調部２２から無線通信端末の通信種別を取得し、取得した通信種別が、固定レートの通信であるＶｏＩＰやリアルタイム通信等の特定の通信種別であり、さらに無線通信の通信状況に関する値が判定閾値を超えると判定した無線通信端末に対してタイムスロットの間欠配置を決定するように通信処理部２１に通知しても良い。
【００１５】
通信処理部２１は、間欠配置タイミングの通知を受けると、無線通信端末に対し、無線通信端末に割り当てていたタイムスロットを所定フレーム毎に解放するチャネル切り替え（間欠配置）指示信号を送信するとともに、未開放のタイムスロットで無線通信を実行するための変調方式を、現在の変調方式よりも変調多値数が多い変調クラス（変調方式）に変更し、変復調部２２に通知する。
【００１６】
次に、無線基地局と無線通信端末の間で、間欠配置のタイムスロットで同期バースト信号の送受信を行い、無線基地局は、間欠配置維持が可能か否かを判定する。間欠配置が可能であれば、間欠配置のタイムスロットで通信を開始する。
【００１７】
図３は、間欠配置のタイムスロットを使用して無線通信を行っているときのフレーム構成を示す図である。図３では、１フレームおきにタイムスロットを使用して無線通信を行っており、１フレームおきに割り当て可能なタイムスロットが存在することを示している。このように、間欠配置することによって、割り当て可能なタイムスロットができるので、他の無線通信端末に対して、他の無線通信端末が使用するタイムスロットに加えて、所定間隔ごとに開放されたタイムスロットを割り当てることができる。また、新たに無線基地局との通信を要求する他の無線通信端末に対して、所定間隔ごとに開放されたタイムスロットを割り当てることができる。
【００１８】
なお、上述した実施の形態では、１フレームおきの間欠配置のタイムスロットについて示したが、本発明は、１フレームに限るものではなく、数フレームおきの間欠配置でも良い。
【００１９】
上述したように、本発明は、現在、無線通信中の無線通信端末のうち、無線通信を行う環境がよく、高レートの変調方式を設定可能な無線通信端末がある場合、当該無線通信端末の変調クラスを高レートの変調方式に再設定した後に、タイムスロットの割り当てを制限することで、接続中の他の無線通信端末において、利用するアプリケーションなどに応じた適切なデータ量を確保した無線通信が可能となる。
また、ＶｏＩＰやリアルタイム通信など、固定レートにて無線通信を行っている無線通信端末の変調クラスを高レートの変調方式に再設定することで、当該無線通信端末においても、利用するアプリケーションなどに応じた適切なデータ量を確保した無線通信が可能となる。
【図面の簡単な説明】
【００２０】
【図１】本発明の無線基地局の概略構成を示す機能ブロック図である。
【図２】無線基地局と無線通信端末の動作を説明するシーケンス図である。
【図３】間欠配置後のフレーム構成を示す図である。
【図４】フレーム構成を示す図である。
【符号の説明】
【００２１】
１１  切り替えスイッチ（ＳＷ）
１２  制御部
１３  メモリ
１４  網インターフェース
２１  通信処理部
２２  変復調部
２３  呼制御部
２４  統計処理部
２５  間欠配置判定部
【図１】
2010035014.tif 000003
【図２】
2010035014.tif 000004
【図３】
2010035014.tif 000005
【図４】
2010035014.tif 000006